(57)【要約】【課題】基礎に塗装または、亜鉛鍍金された鋼材を用いることにより、鉄筋コンクリートを用いた基礎構造に比べて工期が短縮でき、鋼材の再利用や再生を容易に行うことができ、現場での高さ調節が可能とする基礎の構造および鉄骨柱と基礎のジョイント構造を提供する。【解決手段】基礎および地中梁が塗装または、亜鉛鍍金処理された鋼材からなり基礎底プレートに取り付けてある調整ボルトや調整ナットを用いることで高さ調節が可能でかつ、柱プレートと基礎プレートの間に鋼製の調整板を挿入して高さ調整ができることを特徴とする。【選択図】図１
2014095279.tif 000002
【特許請求の範囲】
【請求項１】
基礎が、塗装または、亜鉛鍍金処理された鋼材からなることを特徴とする基礎の構造。
【請求項２】
基礎と一体となっている地中梁が、塗装または、亜鉛鍍金処理された鋼材からなることを特徴とする基礎の構造。
【請求項３】
鉄骨柱に溶着された柱プレートと基礎に溶着された基礎プレートをボルトにて接合することを特徴とする鉄骨柱と基礎のジョイント構造。
【請求項４】
基礎底プレートに取り付けてある調整ボルトや調整ナットを用いて高さ調整ができることを特徴とする鉄骨柱と基礎のジョイント構造。
【請求項５】
鉄骨柱に溶着された柱プレートと基礎に溶着された基礎プレートをボルト接合する際、柱プレートと基礎プレートの間に鋼製の調整板を挿入して高さ調整ができることを特徴とする鉄骨柱と基礎のジョイント構造。
【請求項６】
請求項１、２において防錆効果の高い塗装または、亜鉛鍍金してある鋼材からなる基礎と柱が一体となっていることを特徴とする基礎および柱の構造
【発明の詳細な説明】
【技術分野】
【０００１】  この発明は、基礎の構造および鉄骨柱と基礎のジョイント構造に関する。
【背景技術】
【０００２】  従来、鉄骨建築の上部構造物とその土木基礎構造物の接点である柱と基礎を接合させる方法として、基礎を鉄筋コンクリート造とし、アンカーボルトを基礎に埋め込み、鉄骨柱の柱脚プレートとアンカーボルトをボルト接合する方法にて施工していた。【０００３】  また、地中に埋設される鉄骨基礎上端に、現地にて鉄骨柱を溶接、ボルト等により接合させるものがあった（特許文献１、２、３参照）。
【先行技術文献】
【特許文献】
【０００４】
【特許文献１】特開２００４−３５３２７３
【特許文献２】特開２００５−６８９５３
【特許文献３】特開２００６−３２８６９９
【発明の概要】
【発明が解決しようとする課題】
【０００５】  しかしながら、基礎を鉄筋コンクリート構造とした場合、地盤を深く広く掘削する必要があり、掘削の作業量が多く、残土が大量に出て、その処理に、費用と手間が掛かる。また、振動・騒音・砂埃が発生して環境問題が発生する恐れがあることが問題となっていた。【０００６】  また、コンクリートの打設の手間と養生の期間が必要である。大きなフーチングや広い基礎が必要で、狭い箇所での施工が不都合になる場合は多い。【０００７】  さらに、建物を建替える解体の際にコンクリート部分と鋼材部分とを分離するのが容易でなく、鋼材の再利用が難しいという問題もある。
【課題を解決するための手段】
【０００８】  この発明は、このような問題を解決するためになされたものであり、その目的とするところは、基礎および地中梁が防錆効果の高い塗装または、亜鉛メッキ処理された鋼材からなり、その基礎と鉄骨柱をボルト接合することによって解決される。【０００９】  この構造では、基礎を設置する際に、基礎の周囲に作業に必要な掘削のみで良いので、掘削量も少なく、残土の多くが場内で処理でき、振動・騒音・砂埃の発生を抑えることができる。【００１０】  また、コンクリートの打設が不要なので施工期間が大幅に圧縮できる。敷地が狭い場所での施工も可能となる。【００１１】  さらに、解体の際もコンクリートと鋼材を分離する必要がなく鋼材の再利用が容易である。【００１２】  この構造では、基礎底プレートに上下の調整ナットを挟み込み、調整ボルトを締め付け、緩めることで基礎と鉄骨柱の高さ調整も可能である。【００１３】  この構造では、基礎の基礎プレートと鉄骨柱の柱プレートに調整板を挟み込むことで基礎と鉄骨柱の高さ調整も可能である。
【発明の効果】
【００１４】  この発明は、基礎を設置する際に、掘削量も少なく、振動・騒音・砂埃の発生を抑えることができ、コンクリートの打設が不要なので施工期間が大幅に短縮することができる。さらに、解体の際もコンクリートと鋼材を分離する必要がなく鋼材の再利用が容易である。基礎底プレートに上下の調整ナットを挟み込み、調整ボルトを締め付け、緩めることで基礎と鉄骨柱の高さ調整も可能である。また、基礎と鉄骨柱の間に調整板を挟み込むことにより高さ調節ができる。
【図面の簡単な説明】
【００１５】
【図１】本発明に係る基礎の構造および基礎と鉄骨柱のジョイント構造の断面図である。
【図２】同、平面図である。
【図３】同、立体図である。
【図４】本発明の他の実施形態の基礎の構造および基礎と鉄骨柱のジョイント構造の断面図である。
【図５】同、平面図である。
【図６】同、立体図である。
【図７】基礎底プレートと調整ボルトの断面図である。
【図８】基礎プレートと柱プレートに調整プレートを挟み込んだ断面図である。
【発明を実施するための形態】
【００１６】  鉄筋コンクリートを用いた基礎構造に比べ工期を短縮することができ、鋼材の再利用や再生を容易に行うことができ、現場での高さ調節を可能とする目的を、基礎を塗装または、亜鉛鍍金処理された鋼材とすること、基礎と一体となっている地中梁を塗装または、亜鉛鍍金処理された鋼材とすること、鉄骨柱に溶着された柱プレートと基礎に溶着された基礎プレートをボルトにて接合すること、基礎底プレートに調整ナットおよび調整ボルトを用いて高さ調節すること、基礎プレートと柱プレートに調整板を挟み込み、高さ調節すること、により実現する。
【実施例１】
【００１７】  本発明の実施形態を、図面に基づいて説明する。【００１８】  図１〜図３および図７、図８は、本発明の一実施形態を示すものである。塗装または、亜鉛鍍金された鋼製基礎２は、地盤を掘削し所定形状の溝を形成し、前記溝の鉄骨柱６が立設する位置に砕石または砕石の上、コンクリート１を打設し、基礎２の基礎底プレート９の下端が構築すべく所定の位置の高さとなるように、図７に示す如く、基礎底プレート９に取り付けてある調整ボルト１０を調整し、鋼製の独立基礎２を構築する。その際、基礎底プレート９と砕石または砕石・コンクリート１の隙間にモルタルを圧入することもできる。【００１９】  さらに、鉄骨柱６の柱プレート４と基礎プレート３をボルト接合する。なお、鉄骨柱６の柱プレート４の下端が構築すべく所定の位置の高さとなるように、図８に示す如く、柱プレート４と基礎プレート３の間に鋼製の調整板８を挿入してボルト接合することもできる。【００２０】  その後、溝内に掘削土が埋め戻される。この実施形態の基礎構造は鉄骨柱６の重量を独立基礎２が支持し、その荷重を下部の支持層に伝達される。【００２１】  基礎２の表面には防錆効果の高い塗装または、亜鉛鍍金してあるので直接地中に配置されても腐食することがない。その結果、従来必要としていた地中に配置される基礎２の周囲をコンクリートで覆う必要がなくなる。そのため、型枠工、鉄筋工等の作業が低減され、掘削土も埋め戻されるため、処理すべき掘削残土を減らすことができる。【００２２】  なお、地中梁７が塗装または、亜鉛鍍金されていない場合、コンクリートで被覆する場合もありうる。
【実施例２】
【００２３】  図４〜図６および図７、図８は、本発明の他の実施形態を示すものである。塗装または、亜鉛鍍金された鋼製基礎２は、地盤を掘削し所定形状の溝を形成し、前記溝の鉄骨柱６が立設する位置に砕石または砕石の上、コンクリート１を打設し、基礎２の基礎底プレート９の下端が構築すべく所定の位置の高さとなるように、図７に示す如く、基礎底プレート９に取り付けてある調整ボルト５を調整し、鋼製の独立基礎２を構築する。その際、基礎底プレート９と砕石または砕石・コンクリート１の隙間にモルタルを圧入することもできる。【００２４】  さらに、横方向に水平に延びるＨ型鋼等で構成される地中梁７を連結し固定する。【００２５】  次に、鉄骨柱６の柱プレート４と基礎プレート３をボルト接合する。なお、鉄骨柱６の柱プレート４の下端が構築すべく所定の位置の高さとなるように、図８に示す如く、柱プレート４と基礎プレート３の間に鋼製の調整板８を挿入してボルト接合することもできる。【００２６】  その後、溝内に掘削土が埋め戻される。この実施形態の基礎構造は鉄骨柱６や地中梁の重量を独立基礎２が支持し、その荷重を下部の支持層に伝達される。【００２７】  基礎２および地中梁７の表面には防錆効果の高い塗装または、亜鉛鍍金してあるので直接地中に配置されても腐食することがない。その結果、従来必要としていた地中に配置される基礎２および地中梁７の周囲をコンクリートで覆う必要がなくなる。そのため、型枠工、鉄筋工等の作業が低減され、掘削土も埋め戻されるため、処理すべき掘削残土を減らすことができる。
【産業上の利用可能性】
【００２８】  以上に、本発明の実施形態を示したが、本発明はこれに限られるものではなく、発明思想を逸脱しない範囲で各種の変更が可能である。基礎は、塗装または、亜鉛鍍金された鋼材を溶着したものに限らず各種の鋼材で形成されたものであってもよい。柱は角型に限らず、各種の鉄骨柱であってもよく、また鋼製梁もＨ型鋼に限らず、各種の鉄骨であってもよい。さらに基礎底プレートと砕石または砕石・コンクリートの隙間にモルタルを圧入する方法は様々な工法であっても良い。地中梁が塗装または、亜鉛鍍金されていない場合、コンクリートで被覆する場合もありうる。防錆効果の高い塗装または、亜鉛鍍金してある鋼材からなる基礎と柱が一体となっている場合もありうる。
【符号の説明】
【００２９】  １  砕石またはコンクリート
２  基礎（塗装または、亜鉛鍍金された鋼材）
３  基礎プレート（塗装または、亜鉛鍍金された鋼材）
４  柱プレート
５  ボルト
６  鉄骨柱
７  地中梁（塗装または、亜鉛鍍金された鋼材）
８  調整板
９  基礎底プレート
１０  調整ボルト
１１  Ａ調整ナット
１１  Ｂ調整ナット
【図１】
2014095279.tif 000003
【図２】
2014095279.tif 000004
【図３】
2014095279.tif 000005
【図４】
2014095279.tif 000006
【図５】
2014095279.tif 000007
【図６】
2014095279.tif 000008
【図７】
2014095279.tif 000009
【図８】
2014095279.tif 000010